(57)【特許請求の範囲】
【請求項１】
吸水性繊維を含有するものがシート体に形成され、該シート体の一面に不透水性シート又は透水性シートがラミネートされ、さらにその上に、水分の蒸散や熱の発散の障害とならない通気性、及び、植物を植栽できる形状を保持し且つ植物を支え得る強度を備えた外殻部材が設けられた積層体であることを特徴とする植物用給・保水材。
【請求項２】
前記不透水性シート又は前記透水性シートが、前記シート体の他方の面にもラミネートされたことを特徴とする請求項１に記載の植物用給・保水材。
【請求項３】
請求項１又は請求項２に記載の植物用給・保水材を枠体に装着したことを特徴とする植物用給・保水材を使用した植栽用キット。
【発明の詳細な説明】
【０００１】
【発明の属する技術分野】
この発明は、鉢植えされた植物や、屋上緑化及び壁面緑化等の大型植栽への水やりとそれらの植物の生育に有効な植物用給・保水材及び植物用給・保水材と枠体とを組み合わせて形成する吊り下げタイプのハンギングバスケットや、壁面タイプのヘゴ材代替品等を使用した植栽用キットに関するものである。
【０００２】
【従来の技術】
植物に給水する場合、貯水タンクから給水用管を配管しポンプの駆動力を利用して給水する散水装置、給水エレメントの毛細管現象を利用して給水する装置、キャップに工夫を加えたペットボトルやゲル状タイプのものを利用する給水装置等が従来から知られている。
【０００３】
また、植物がハンギングバスケットで吊り下げられる場合や、ヘゴ材代替品で直線状あるいは面状に配設される場合は、水苔や保水材を配合した保水性の良好な用土や、吸水ポリマーを応用した給水資材等を用いることが知られている。
【０００４】
さらに、近年ヒートアイランド現象の打開やエネルギー対策の観点から効用が期待されている屋上緑化、壁面緑化等の大型植栽に給水する場合には軽量化用土や軽量化保水資材、効率的な潅水設備等が開発されている。
【０００５】
【発明が解決しようとする課題】
しかしながら、植物が吊り下げられたり直線状や面状に配設されたりする場合では、上記のような貯水タンクや給水エレメントの設置は非常に困難であり、ペットボトルやゲル状タイプのものは配置するスペースが少なかったり重量が重かったりする問題があった。
【０００６】
また、保水性が良好な用土や給水ポリマー応用の給水資材等は標榜するほどの給水効果はなかった。
【０００７】
屋上緑化、壁面緑化等の大型植栽の場合では、用土及び保水資材の軽量化、蒸散を防いだ効果的な給水、給水時の植物や用土の飛散等未解決の問題があった。
【０００８】
そこで、この発明は、鉢植え植物だけでなく大型植栽にも利用でき、簡易で有効な給水性能を備え、採算性や実用性に優れた植物用給・保水材を提供するとともに、それを使用した植栽用キットを提供することを課題としている。
【０００９】
【課題を解決するための手段】
上記課題を解決するため、請求項１の発明は、吸水性繊維を含有するものがシート体に形成され、該シート体の一面に不透水性シート又は透水性シートがラミネートされ、さらにその上に、水分の蒸散や熱の発散の障害とならない通気性、及び、植物を植栽できる形状を保持し且つ植物を支え得る強度を備えた外殻部材が設けられた積層体であることを特徴としている。
【００１０】
請求項１に係る発明によれば、不透水性シートをラミネートした場合、吸水性繊維を含有するシート体に保水させ、不透水性シートで蒸散を防いで保水性を上げるとともに、シート体及び不透水性シートが外殻部材に保護されているので、植物への給水はシート体を内側にして用土を充填したり丸めたりすれば、この植物用給・保水材の上に植栽するだけで完了し、鉢植え植物だけでなく大型植栽にも利用できる簡易で有効な給水が可能で、さらに、特別な設備や設置スペースが必要なく採算性や実用性に優れている。
【００１１】
透水性シートがラミネートされた場合、透水性シートからの適度な蒸散で用土の温度上昇が抑えられるとともに、シート体に蓄えられた水分量を透水性シートで調整して余計な水分が排出され、根腐れを起こしにくく、水抜き用の穴を植物用給・保水材に設ける必要もなくて用土が穴からこぼれることもなく、さらに実用的である。
【００１２】
請求項２の発明は、請求項１に記載の植物用給・保水材において、不透水性シート又は透水性シートが、シート体の他方の一面にもラミネートされたことを特徴としている。
【００１３】
請求項２に係る発明によれば、不透水性シートがシート体の他方の一面にもラミネートされた場合、シート体の両面に不透水性シートがラミネートされて保水されるとともに、適度な強度を備えた外殻部材が植物の茎を支えてシート体に根付くように植物を支持して、直接この植物用給・保水材に植物を植えることが可能となり、壁面緑化などの用土の確保が難しい場合に特に有用で実用性に優れている。
【００１４】
透水性シートがシート体の他方の一面にもラミネートされた場合、シート体の両面に透水性シートがラミネートされて、水分量が調整され、必要以上の水分が蒸散されるとともに、外殻部材に支えられシート体に直接植えられた植物は、その根が透水性シートと絡まって水分の浸透性がよくなり、植物用給・保水材から抜けにくくなり、大型植栽の場合でも安定した給水が可能で実用的である。
【００１５】
請求項３の発明は、請求項１又は請求項２に記載の植物用給・保水材を植物枠体に装着して植栽用キットを形成したことを特徴としている。
【００１６】
請求項３の発明によれば、吊り下げタイプのハンギングバスケットや、壁面タイプのヘゴ材代替品等の枠体に植物用給・保水材を装着するだけで植物の水やりに必要な水分が保水され、簡易で有効な給水性能を備えて植物への水やりが軽減される植栽用キットとなり、装着方法によっては用土を使用することなく植物を直接植えられ、シート体の両面に不透水性シート又は透水性シートをラミネートした植物用給・保水材が装着されれば、さらに簡単に用土不要で植栽可能なので、屋上緑化や壁面緑化といった大型植栽でも軽量化や用土の飛散防止が図れて採算性に優れ、実用的な植栽用キットとなる。
【００１７】
【発明の実施の形態】
以下、図面に基づいてこの発明を説明する。図１はこの発明の植物用給・保水材をハンギングバスケットに適用した状況を示している。
【００１８】
図中、１は植物用給・保水材で、シート体２の一面に不透水性シート３ａ又は透水性シート３ｂがラミネートされ、さらにその上に外殻部材４が設けられた積層体である。
【００１９】
植物用給・保水材1は、吸水性繊維を含有するものがシート体２に形成され、そのシート体２の一面でここでは下面となる側に不透水性シート３ａ又は透水性シート３ｂがラミネートされ、さらにその上に適度の通気性及び強度を備えた外殻部材４が設けられて積層体に形成されている。この植物用給・保水材1は、ここではハンギングバスケットの形状をなすフレーム５の内部に外殻部材４が外表面となるように装着され、シート体２のここでは上面となる椀型に形成された内側に用土６が入れられて、植物７が植えられている。
【００２０】
植物用給・保水材１は、成形型を用いて図のように椀型に形成されたり、あるいは円形、半円形、楕円形、正方形、長方形、菱形等任意の形状にされているものに切込み、切欠をして枠体であるフレーム５の内部に隙間のないように装着して椀型に形成される。ここでは円形にされた後、外周部に複数の半径方向の切込みを入れ、中央部に図示しない水抜き用の穴部を有している植物用給・保水材１を、ハンギングバスケットの形状をなすフレーム５の内側に装着している。植物用給・保水材１は、円形の底部と長方形の側面部とに二分割されたものでも、複数の扇形形状にされたものでもよい。また、水抜き用の穴部が形成されるのは中央部でなくてもよく、透水性シート３ｂがラミネートされていれば形成されなくてもよい。
【００２１】
シート体２は、吸水性繊維を含有するものから形成されていて、吸水性繊維単独をシート状に形成してもよいし、吸水性繊維と他の繊維と混合したものをシート状に形成したものであってもよい。
【００２２】
ここで、吸水性繊維とは、水膨潤度（自重に対して吸収する水の割合）が３倍以上、好ましくは５倍以上であり、かつ繊維形態を有する限り使用することができるものである。例えば、アクリロニトリル（以下、ＡＮという。）−アクリル酸塩共重合体、ポリアクリル酸塩−多価アルコール共重合体熱処理物、デンプン−アクリル酸もしくはその塩グラフト共重合体、デンプン−ＡＮグラフト共重合体ケン化物、酢酸ビニル−アクリル酸エステル共重合体ケン化物、酢酸ビニル−不飽和ジカルボン酸共重合体ケン化物等を繊維状にしたもの；アクリル繊維、セルロース繊維、ポリビニルアルコール維持等を吸水変性処理（ヒドロゲル化）したもの；繊維表面を親水性重合体で被覆したもの等が挙げられる。なかでも、ヒドロゲル化（吸水性でかつ水不溶性の重合体）外層とＡＮ系重合体内層とで形成されたランシール（東洋紡績（株）製）に代表される複合吸水性繊維は、優れた吸水能とともに引張強度などの物性も実用水準を維持していることから、多層の不織布、立体成形品、糸などの繊維形成体の形成も容易であり望ましい。
【００２３】
また、吸水性繊維に混用される他の繊維としては、公知の合成繊維、再生繊維、天然繊維の中から任意に選択使用されるが、ポリプロピレン、ポリエチレン、低融点ポリエステル等の比較的低温で熱溶着可能な合成繊維（熱溶着性繊維）を一成分として使用すれば、吸水時においても形態安定性を備えたシート体２として工業的に有利に形成させることができるので望ましい。なお、上記吸水性繊維に混用される他の繊維としての熱溶着性繊維の使用割合としては、給・保水材に求められる吸水能、使用する吸水性繊維の水膨潤度、繊維成型体の形成性等を勘案して適宜選択されるが、概ね１０〜７０重量％の範囲内であることが望ましい。
【００２４】
そして、上記シート体２の望ましい形態としては、不織布、編織物等が挙げられ、場合によっては複数枚の不織布を積層した積層体、不織布と編織物との混積層体、不織布と防水シートとの混積層体等であってもよい。
【００２５】
さらに、シート体２の目付けとしては、シート体１の吸水能に応じて設定されるが、シート体２の３倍以上、好ましくは５〜２００倍の水膨潤度を有する場合には、概ね２０〜１０００ｇ／ｍ2、好ましくは５０〜５００ｇ／ｍ2であることが望ましい。
【００２６】
不透水性シート３ａは、実質的に水分を透過させない材料であり、積層体の一面として作製可能であるとともに、適度な強度を有すれば如何なる材料であってもよい。また、この不透水性シート３ａは、吸水材の保水性能を向上させるため、水の蒸散を防止する不透水性を有する他、太陽熱吸収による高温蒸発を防ぐため不透光性能を有することが望ましい。このような性能を有するものとしては、例えば高密度ポリエチレン、低密度ポリエチレン、ポリプロピレン、ポリスチレン、ポリ塩化ビニル、飽和ポリエステル樹脂（ＰＥＴ）などの熱可塑性合成樹脂フィルムやシート状発泡体、セロファン、アルミ箔などが挙げられる。なお、紙、不織布などでも処理によって水不透過性が保たれるならば使用してもよい。また、アルミ箔にポリエチレンをコートしたポリエチレン−アルミ箔などの積層体や、上述のフィルムにアルミや銅などを蒸着したラミネートフィルムなどを使用してもよい。
【００２７】
透水性シート３ｂは、積層される吸水シート２と外殻部材４との間で水分の蒸散や熱の発散が行えるようなものである。積層体の一面として作成するものであり、吸水シート２を保持するのに適度な強度を有すれば上述の条件において如何なる材料でもよい。例えば、水分蒸散のための孔（パーホレーション）が施された各種フィルムや不織布などの素材が例示される。ここで用いられる繊維として種々のものが例示されるが、ポリエチレン繊維、ポリエステル繊維、ポリプロピレン繊維などの合成繊維、レーヨンなどの再生繊維、天然繊維などの中から適宜選択され、これらを混合させて不織布の形態を保持してもよい。また、透水性シート３ｂは外殻部材４と同じ素材である椰子殻繊維シートや麻布でもよい。
【００２８】
外殻部材４は、シート体２と不透水性シート３ａ又は透水性シート３ｂとを組み合わせてラミネートしたものを覆って外表面を形成するものである。この外殻部材４は、ハンギングバスケットの形状を保持しながら外表面を形成できるとともに、植物がシート体２に直接植栽された場合に植物の茎を支え得る適度な強度と、透水性シート３ｂがラミネートされたときに水分の蒸散や熱の発散の障害とならない通気性を有すれば、如何なる素材でもよい。また、外観上の見栄えをよくするために植物植栽用資材として違和感のないものであることが望ましい。例えば椰子殻繊維シートや麻布、印刷を施した布や紙及び不織布などの素材が挙げられる。さらに、外殻部材４に開口部を施して植物を植え付けたり、枠体であるフレーム５の形状に合わせて変形したりできるように、容易に切断できる程度の加工性を有するものでなければならない。
【００２９】
なお、上記植物用給・保水材１は抗菌剤や忌避材等を添加して使用してもよく、適宜所望の色彩に着色してもよい。
【００３０】
枠体であるフレーム５は、ここではハンギングバスケットの外枠をなし、植物用給・保水材１と一体となってハンギングバスケットを形成している。この場合フレーム５の開口部周辺に鎖が形成され、その鎖、ここでは三本の鎖である、がリングによってまとめられて所望の場所に吊り下げられる。また、図２にも使用されているように、植物用給・保水材１が植物を植栽できる形状をなすための支持ができれば形状はいかなるものでよい。
【００３１】
図２はこの発明の植物用給・保水材を枠体であるヘゴ材代替品に適用した状況を示している。
【００３２】
ここでは、植物用給・保水材１は、シート体２の両面に不透水性シート３ａ又は透水性シート３ｂがラミネートされ、その両面に外殻部材４が設けられた積層体である。
【００３３】
植物用給・保水材1は、吸水性繊維を含有するものがシート体２に形成され、そのシート体２の両面に不透水性シート３ａ又は透水性シート３ｂがラミネートされ、さらにその両面にシート体２と不透水性シート３ａ又は透水性シート３ｂとを挟むように適度の通気性及び強度を備えた外殻部材４が設けられて積層体に形成されている。この植物用給・保水材1は、ここでは枠体である棒状のヘゴ材５´の内部に積層体が環状をなすように丸められて装着され、植物７が用土を用いずに直接植物用給・保水材１に植えられている。
【００３４】
植物用給・保水材１は、外殻部材４が外表面となる状態で図のように枠体であるヘゴ材５´の内部に充填されていればよく、長方形や正方形等のシート形状にされた後丸められて棒状枠体に嵌装されてもよく、面状枠体に広げて装着してもよい。なお、植栽が可能なように任意の個所に切込みを入れ、植物を挿入し、植え付けている。
【００３５】
次にこの発明の植物用給・保水材の作用を説明する。
【００３６】
シート体２の一面に不透水性シート３ａがラミネートされ、さらにその上に外殻部材４が設けられた場合では、シート体２に保持された水分が不透水性シート３ａで覆われて蒸散は防止され、他面で水分の供給は行われる。不透水性シート３ａの上に設けられた外殻部材４は、植物を植栽できる容器、この場合ではハンギングバスケットを形成し、外殻部材４が型を用いて作られた形状を保持できる材質であればフレーム５を用いずに植物が植栽できる容器を形成することも可能となる。
【００３７】
シート体２の一面に透水性シート３ｂがラミネートされ、さらにその上に外殻部材４が設けられた場合では、シート体２に保持される水分量は、透水性シートの透水度の高低によって調節ができる上、水分の蒸散が完全に防止されることがないので水抜き用の孔を設ける必要がなく、用土の流出が防止できる。また、適度な水分の蒸散により用土の熱が下げられて、直射日光にさらされても外殻部材４によって形成された植物が植栽できる容器、この場合ではハンギングバスケットの温度上昇が抑えられる。
【００３８】
シート体２の両面に不透水性シート３ａがラミネートされ、さらにその両面の不透水性シート３ａの上に、外殻部材４が設けられた場合では、水分を保持したシート体２が不透水性シート３ａと外殻部材４とに挟まれて、水分の蒸散は完全に防止されるとともに、外殻部材４が両面を覆って用土の代替となる。植物を植物用給・保水材１に直接植栽し、給水しながら外殻部材４で植物を支え、用土がなくても植物を植栽することが可能となる。なお、シート体２への保水及び水抜き用の孔は適宜必要である。
【００３９】
シート体２の両面に透水性シート３ｂがラミネートされ、さらにその両面の透水性シート３ｂの上に、外殻部材４が設けられた場合では、外殻部材４が植物を支え、植物用給・保水材１に直接植栽が可能である上、植えられた植物が透水性シート３ｂから水分を吸収できるので、植物の根が透水性シート３ｂに絡まって生育し、植物が植物用給・保水材１から抜けにくくなる。
【００４０】
【実施例  １】
以下に、この発明の実施例について、シート体の片面に不透水性・不透光性材料をラミネートし、その上に椰子殻繊維シートを設けた３層構造からなるシート状繊維形成体を用いて詳細に説明する。
【００４１】
[給・保水材の調製]
不透水性シートとして発泡ポリエチレン（東レ（株）製ペフ）、外殻部材として椰子殻繊維シート（小泉製麻（株）製）、シート体として東洋紡績（株）製ランシール・Ｆ５０重量％とユニチカ（株）製ポリエステル５０重量％を混用した目付け３００ｇ／ｍ2のサーマルボンド法により製造した不織布（以下ＳＤ−３００と称する。）を用い、三者をシート体、不透水性シート、外殻部材の順に接合して積層の給・保水体を作成した。この給・保水体（以下ペフ・椰子殻シート・ラミネート・ＳＤ−３００シートと称する。）は４６０ｍｍφの円形で、その外周縁の四箇所を中心に向かって高さ１０ｃｍ、円弧５ｃｍの扇型に切り取って作成されており、その中心部に水抜き用の孔（１ｃｍφ）があけられている。このときの乾燥重量は９８ｇであった。
【００４２】
［試験方法］
市販されているハンギングバスケット（直径３２ｃｍ、高さ１５．６ｃｍの円形、アイリスオーヤマ（株）製）と、用土の量及び植物体の大きさを同一に調整した市販の植物（ポットマム１株、ペペロミア１株、アメリカンブルー２株、アイビー１株、ヘデラ１株、ポトス１株）を用いて試料とする。このものにつき、下記の条件にて植物植付け後十分に水を与えてから、日光の当たる風通しのよい場所に吊り下げ、ハンギングバスケットに使用したペフ・椰子殻シート・ラミネート・ＳＤ−３００シートの給水性能評価を行う。
【００４３】
《条件》
ペフ・椰子殻繊維シート・ラミネート・ＳＤ−３００シート使用（試験品）
ハンギングバスケットに添付されている椰子殻繊維シートをそのまま使用（通常品）
［結果］
上記の２条件による試験結果を図３に示す。
【００４４】
給水直後、ペフ・椰子殻繊維シート・ラミネート・ＳＤ−３００シートは、水抜き用の穴をあけたため保持水量は１８５５ｇと総重量と比較して少ない程度に留まった。しかし、その後の保持水量を見ると、通常品では等差級数的に減少するのに対し、試験品では水分の減少が緩やかである。
【００４５】
４日目において、試験品は最初の保持推量を下回ることはなかったが、通常品は最初の保持水量を大きく割り込み、植物の一部（ペペロミア）は萎れ始めた。
【００４６】
この試験時では、一日の水分消費量は約５００ｇ程度と考えられるが、このペフ・椰子殻繊維シート・ラミネート・ＳＤ−３００シートを使用すると、上から用土や植物の圧力を受けた状態で１０００ｇ近くの水を保持し、その８０％程度を４日間で放出しているため、通常品と比較し２日程度水やりが省けることとなる。
【００４７】
［結論］
以上の結果から、この発明の給・保水材はシート体に自重の数倍から数十倍の水膨潤度を備え、しかもこの実施例１のように上方から圧力を受けた状態でも多量に吸収した水を強力に保持する能力を備えているので、使用時の急激な水分の放出はなく、長時間にわたり植物に水を供給できるものであり、シート体の一面に不透水性シートを有しているために、無駄な水分の蒸散が抑えられ、さらに長時間にわたって水分は保持される。
【００４８】
なお、この実施例１では不透光性も有した不透水性シートを使用しているため、直射日光にさらされてもそれに伴う給・保水材の温度上昇を抑えることができて、水分の蒸散をさらに効果的に防ぐことが可能となる。
【００４９】
また、ここでは外殻部材に椰子殻繊維シートを使用しているので、ハンギングバスケットの質感に合致しており、本用途に対して実用性に優れている。
【００５０】
【実施例  ２】
以下に、この発明の実施例について、シート体の片面に不透水性材料をラミネートし、その上に外殻部材として不織布を設けた３層構造からなるシート状繊維形成体を用いて詳細に説明する。
【００５１】
[給・保水材の調製]
不透水性シートとしてナイロンフィルム・クリスパー（東洋紡績（株）製）、外殻部材としてポリエステルスパンボンド・エクーレ（東洋紡績（株）製）、シート体として実施例１に使用したＳＤ−３００を用い、三者をシート体、不透水性シート、外殻部材の順に接合して積層し給・保水体を作成した。この給・保水体（以下不織布・フィルム・ラミネート・ＳＤ−３００シートと称する。）は長さ５０ｃｍ、幅１ｍの長方形の積層体で、そのうちの長さ１８ｃｍ、幅６０ｃｍを切り取って円筒状に丸めて棒状とし、上端部及び底端部はシート体に水が透過するように穴が設けられている。
【００５２】
［試験方法］
市販されているプラスチック製ヘゴ代替品（直径７ｃｍ、高さ６０ｃｍの円筒形、クラーク（株）製、以下プラヘゴと称する。）を、直径２３ｃｍのスチール製ポットに立て、プラヘゴ内部に棒状にされた不織布・フィルム・ラミネート・ＳＤ−３００シートを充填し、市販の植物（ペニュチア３株、ベゴニア３株、松葉ボタン６株）をプラヘゴの目に合わせて隙間を開けた不織布・フィルム・ラミネート・ＳＤ−３００シートに挿し込んで試料とする。
【００５３】
このものにつき、下記の条件にて植物の生育状態の観察を行う。
【００５４】
《条件》
１．    一日一回、上端部穴より十分に給水する
２．    直射日光の当たる屋外に放置する
［結果］
試験開始当初の９日間は、連日最高気温が３５度を上回る状態であったが、一日一回の給水ですべての植物は健常であり、毎日直射日光を受けていたことで花の数、色ともに順調に生育し、植物の鮮度保持だけでなく通常の露地植え植物同様の生育も観察できた。
【００５５】
さらに４５日間観察を続けたが、例年になく苛酷な高温環境の中、植物は順調に生育した。
【００５６】
［結論］
以上の結果から、この発明の給・保水材は用土を用いずに植物を直接植えることが可能な上、この実施例２のように垂直に立てた場合でも吸収した水を強力に保持する能力を備えているので、水分が自重によって流出してしまうのを防いで植物に水を供給できるものである。
【００５７】
さらに、直射日光にさらされても保持された水分は蒸散せず、一日１回の水やりでも植物は生育することができる。
【００５８】
なお、供給する水分中に液体肥料を混入すれば、さらなる植物の生育を望むことが可能となる。
【００５９】
以上説明してきた植物用給・保水材を使用した植栽用キットについて説明する。
【００６０】
この植栽用キットは、フレーム５の内側に外殻部材４が最も外側になるように、密着して並べられて形成されている。図1ではフレーム５はハンギングバスケット形状、また図２ではヘゴ材代替品形状をなしているが、植物が植栽できる形状であればよく、通常のプランタータイプや面状をなすネットのような形状でもよい。面状のネットに装着する場合、紐や針金などでこの植物用給・保水材１を縛り付けて固定してもよく、壁面緑化に非常に有効である。また、ヒートアイランド現象の打開等からニーズが高まっており、環境に配慮した植栽用キットとなっている。
【００６１】
また、外殻部材４の材質によっては、枠体であるフレーム５を使用しなくても植物を植栽できる形状に形成でき、その場合には植物用給・保水材１を外殻部材４が最も外側になるように所望の形状に形成し、植物を植栽する。
【００６２】
所望の形状に形成したら、図１のように不透水性シート３ａ又は透水性シート３ｂ上に用土を入れ、植物を植栽する。図２のように用土を使用せずに植物用給・保水材に直接植物を植栽してもよい。この場合、外殻部材４は植物を支えることができる強度を備える必要がある。
【００６３】
また、実施例２のように外殻部材がシート体と不透水性シート又は透水性シートとの積層体の一面に設けられている場合でも、用土を使用しないで植物を植栽することも可能である。
【００６４】
水を供給し、シート体２に十分な水を保水させると、植物が消費する水はシート体２から供給され、植物への水やりは軽減される。なお、実施例１によれば、植物用給・保水材を使用しない場合に比べて二日程度の水やりが軽減される。
【００６５】
また、直射日光にさらされても透水性シート３ｂをラミネートしてある植物用給・保水材を使用すれば適度な水分の蒸散が熱を下げ、植栽用キット全体の温度上昇を抑えることができる。
【００６６】
なお、シート体、不透水性シート又は透水性シート、外殻部材の積層方法は、本発明の請求項に記載のものに限らず、シート体の一面に不透水性シート又は透水性シートがラミネートされ、その両面に外殻部材が設けられる場合、シート体の両面に不透水性シート又は透水性シートがラミネートされ、その片面の上に外殻部材が設けられる場合、シート体の一面に不透水性シートがラミネートされ、他面に透水性シートがラミネートされ、その不透水性シートの上に外殻部材が設けられる場合やその両面に外殻部材が設けられる場合などがある。これらは植栽される植物の種類や量、必要水分量、植栽形態などによって選択することができる。
【００６７】
【発明の効果】
以上説明したように、請求項１の植物用給・保水材は、吸水性繊維を含有するものがシート体に形成され、該シート体の一面に不透水性シート又は透水性シートがラミネートされ、さらにその上に適度の通気性及び強度を備えた外殻部材が設けられて形成された積層体であるので、自重の数倍から数十倍の水膨潤度を備え、植物への水やりには十分な適正を有しており、さらに、外殻部材によって植物がこの植物用給・保水材に植栽可能なので、その使用方法は簡易で、植栽方法にとらわれず使用可能であって採算性や実用性に優れている。
【００６８】
また、透水性シートがラミネートされた場合では、植物への給水量を調節するとともに余分な水分を蒸散させ、根腐れや植物用給・保水材の温度上昇を抑えることができる。
【００６９】
請求項２の植物用給・保水材は、請求項１において、不透水性シート又は透水性シートが、シート体の他方の一面にもラミネートされたので、シート体には植物に給水するのに十分な水を蓄えながら用土が不要な状態で植物を生育でき、用土の確保が困難な大型植栽等に有効であり、さらに、雨や風で用土が飛散したり、流出したりせず、実用的である。
【００７０】
また、透水性シートが両面にラミネートされた場合では、余分な水分を蒸散させて植物用給・保水材の温度上昇を防ぐとともに、シート体のみならず透水性シートにも植物の根が張って植栽が安定し、壁面緑化でも有効に使用できる。
【００７１】
請求項３の植栽用キットは、請求項１又は請求項２の植物用給・保水材を自由な形状の枠体と組み合わせて使用しているので、植栽用キット自体に水を蓄え、長時間、植物に適度な給水をすることができ、直射日光にさらされる状態や垂直に立てられた棒状態でも有効な給水性能を備えていて、鉢植え植物や大型植栽でも使用でき実用的である。
【００７２】
したがって、この発明は、鉢植え植物だけでなく大型植栽にも利用でき、簡易で有効な給水性能を備え、採算性や実用性に優れた植物用給・保水材を提供するとともに、それを使用した植栽用キットを提供することが可能となっている。
【図面の簡単な説明】
【図１】本発明にかかる植物用給・保水材を吊り下げタイプのハンギングバスケットに使用した植栽用キットの部分破断斜視図である。
【図２】本発明にかかる植物用給・保水材を棒状のヘゴ材代替品に使用した植栽用キットの部分破断斜視図である。
【符号の説明】
１        植物用給・保水材
２        シート体
３ａ            不透水性シート
３ｂ            透水性シート
４        外殻部材
５        フレーム（枠体）
５´            ヘゴ材代替品（枠体）
【図１】
0003640890.tif 000002
【図２】
0003640890.tif 000003